(57)【要約】      （修正有）【課題】サスペンド状態からの復帰時に付属装置の電源が入っていない場合でも、サスペンド移行前の状態へ正しく移行することができる画像形成装置を提供する。【解決手段】サスペンド状態からの復帰時に、サスペンド状態遷移前の画像形成装置の構成情報を読み出し、サスペンド前と現在の構成情報を比較して付属装置の電源スイッチがＯＮされているか否かを判別し、電源スイッチが０Ｎされていない該当装置があれば、該当装置の電源スイッチをＯＮするように確認画面を表示するようにした。【選択図】図７
2015101064.tif 000002
【特許請求の範囲】
【請求項１】
画像形成装置と、
前記画像形成装置とは別の電源より電力供給を行い、画像形成装置の機能を拡張する機能拡張装置と、
で構成される画像形成システムにおいて、
画像形成システムの全体を制御するＣＰＵと、
揮発性メモリで構成される主記憶装置と、
前記画像形成装置の電源をＯＮ／ＯＦＦする第１のスイッチと、
前記機能拡張装置の電源をＯＮ／ＯＦＦする第２のスイッチと、
前記主記憶装置のみ電源を供給し、前記第１のスイッチにより前記画像形成装置を起動することが可能な起動モードを有し、
前記第１のメインスイッチがＯＮされ、前記起動モードで起動する際、
前記第２のスイッチの状態を判定し、
ＯＦＦの場合には、前記ＣＰＵは再起動を促す通知を行うことを特徴とする画像形成システム。
【請求項２】
前記通知により画像形成システムの再起動指示が行われた場合には、
前記画像形成装置をシャットダウンさせ、電源ＯＦＦ状態に遷移させ、
電源ＯＦＦ状態から起動を行うことを特徴とする、請求項１に記載の画像形成システム。
【請求項３】
前記通知手段によって行う通知は、画像形成理装置の再起動および前記機能拡張装置の電源ＯＮを必要とする、エラー発生の通知であることを特徴とする、請求項１に記載の画像形成システム。
【請求項４】
前記起動モードはサスペンド状態からの起動であることを特徴とする、請求項１に記載の画像形成システム。
【請求項５】
画像形成装置と、
前記画像形成装置とは別の電源より電力供給を行い、画像形成装置の機能を拡張する機能拡張装置と、
で構成される画像形成システムにおいて、
画像形成システムの全体を制御するＣＰＵと、
揮発性メモリで構成される主記憶装置と、
前記画像形成装置の電源をＯＮ／ＯＦＦする第１のスイッチと、
前記機能拡張装置の電源をＯＮ／ＯＦＦする第２のスイッチと、
前記主記憶装置のみ電源を供給し、前記第１のスイッチにより前記画像形成装置を起動することが可能な起動モードを有し、
前記第１のメインスイッチがＯＮされ、前記起動モードで起動する際、
前記第２のスイッチの状態を判定し、
ＯＦＦの場合には、前記ＣＰＵは前記機能拡張装置の電源ＯＮを促す通知を行うことを特徴とする画像形成システム。
【請求項６】
前記通知により前記機能拡張装置の電源ＯＮが行われた場合には、
前記画像形成システムをスタンバイ状態に遷移させることを特徴とする、請求項５に記載の画像形成システム。
【請求項７】
前記起動モードはサスペンド状態からの起動であることを特徴とする請求項５に記載の画像形成システム。
【発明の詳細な説明】
【技術分野】
【０００１】
本発明は、情報処理装置、情報処理装置の制御方法及びプログラムに関する。
【背景技術】
【０００２】
近年、情報処理装置は、プログラムの増大等により、起動時間が長くなる傾向にある。
【０００３】
このような状況下において、情報処理装置の中には、起動時間を短縮させるため、サスペンド機能を採用するものが多くなってきている。サスペンド機能によって、省エネ状態でメモリへの通電を継続してデータを保持し、省エネ状態から復帰する際の起動を高速にする技術が記載されている（特許文献１参照）。
【０００４】
また、近年画像形成装置も多機能化するのに伴い、システムも複雑になると同時に接続される給紙装置や印刷した用紙にステイプル処理や折り処理を行う後処理装置などの付属装置も増えてきている。
【０００５】
付属装置が増えるに従い電力も増大するため、各付属装置それぞれに商用電源から電力を供給するように構成されている。
【先行技術文献】
【特許文献】
【０００６】
【特許文献１】特開２００５−２８４４９１号公報
【発明の概要】
【発明が解決しようとする課題】
【０００７】
しかしながら、画像形成装置において、サスペンド状態からの復帰時に付属装置の電源が入っていない場合には、画像形成装置はサスペンド移行前の状態、すなわち付属装置が正常に動作可能な接続が確立した状態へ復帰しようとするため、正しく動作することができないという課題がある。本発明は、画像形成装置において、サスペンド状態からスタンバイ状態へのリジューム処理において、サスペンド状態からの復帰時に付属装置の電源状態を有無を判定し、付属装置が電源ＯＦＦであった場合には、画像形成装置のオペレーターに装置の再起動を促し、構成情報を正しく再構築できるようにすることを目的とする。
【課題を解決するための手段】
【０００８】
上述した課題を解決するために本発明の画像形成システムは、
画像形成装置と、
前記画像形成装置とは別の電源より電力供給を行い、画像形成装置の機能を拡張する機能拡張装置と、
で構成される画像形成システムにおいて、
画像形成システムの全体を制御するＣＰＵと、
揮発性メモリで構成される主記憶装置と、
前記画像形成装置の電源をＯＮ／ＯＦＦする第１のスイッチと、
前記機能拡張装置の電源をＯＮ／ＯＦＦする第２のスイッチと、
前記主記憶装置のみ電源を供給し、前記第１のスイッチにより前記画像形成装置を起動することが可能な起動モードを有し、
前記第１のメインスイッチがＯＮされ、前記起動モードで起動する際、
前記第２のスイッチの状態を判定し、
ＯＦＦの場合には、前記ＣＰＵは再起動を促す通知を行うことを特徴とする。
【０００９】
また、上述した課題を解決するために本発明の画像形成システムは、
前記通知により画像形成システムの再起動指示が行われた場合には、
前記画像形成装置をシャットダウンさせ、電源ＯＦＦ状態に遷移させ、
電源ＯＦＦ状態から起動を行うことを特徴とする、請求項１に記載の画像形成システム。
【００１０】
また、上述した課題を解決するために本発明の画像形成システムは、
前記通知手段によって行う通知は、画像形成理装置の再起動および前記機能拡張装置の電源ＯＮを必要とする、エラー発生の通知であることを特徴とする、請求項１項記載の画像形成システム。
【００１１】
また、上述した課題を解決するために本発明の画像形成システムは、
前記起動モードはサスペンド状態からの起動であることを特徴とする請求項１項記載の画像形成システム。
【００１２】
また、上述した課題を解決するために本発明の画像形成システムは、
画像形成装置と、
前記画像形成装置とは別の電源より電力供給を行い、画像形成装置の機能を拡張する機能拡張装置と、
で構成される画像形成システムにおいて、
画像形成システムの全体を制御するＣＰＵと、
揮発性メモリで構成される主記憶装置と、
前記画像形成装置の電源をＯＮ／ＯＦＦする第１のスイッチと、
前記機能拡張装置の電源をＯＮ／ＯＦＦする第２のスイッチと、
前記主記憶装置のみ電源を供給し、前記第１のスイッチにより前記画像形成装置を起動することが可能な起動モードを有し、
前記第１のメインスイッチがＯＮされ、前記起動モードで起動する際、
前記第２のスイッチの状態を判定し、
ＯＦＦの場合には、前記ＣＰＵは前記機能拡張装置の電源ＯＮを促す通知を行うことを特徴とする。
【００１３】
また、上述した課題を解決するために本発明の画像形成システムは、
前記通知により前記機能拡張装置の電源ＯＮが行われた場合には、
前記画像形成システムをスタンバイ状態に遷移させることを特徴とする、請求項５記載の画像形成システム。
【００１４】
また、上述した課題を解決するために本発明の画像形成システムは、
前記起動モードはサスペンド状態からの起動であることを特徴とする請求項５項記載の画像形成システム。
【発明の効果】
【００１５】
本発明の画像形成装置において、サスペンド状態からの復帰時に付属装置の電源が入っていなかった場合においても、オペレータに装置の再起動を促し、正しく起動できる。
【００１６】
また、再起動を実施しなくても付属装置の電源のＯＮを促し、差異い接続することで正しく起動できる。
【図面の簡単な説明】
【００１７】
【図１】画像形成装置の構成を示す図である。
【図２】画像形成装置の制御部の全体構成を示すブロック図である。
【図３】コントローラ制御部４００の構成を示すブロック図である。
【図４】画像形成装置の電力状態を示す状態遷移図である。
【図５】本実施形態の画像形成装置の電源ＯＮ処理のフローチャートである。
【図６】本実施形態の電源ＯＦＦ状態からの起動処理のフローチャートである。
【図７】本第１実施形態のサスペンド状態からの起動処理のフローチャートである。
【図８】本実施形態の画像形成装置の電源ＯＦＦ処理のフローチャートである。
【図９】本実施形態の画像形成装置の電源ＯＦＦ状態への遷移処理のフローチャートである。
【図１０】本実施形態の画像形成装置のサスペンド状態への遷移処理のフローチャートである。
【図１１】本第２実施形態の画像形成装置のサスペンド状態からの起動処理のフローチャートである。
【発明を実施するための形態】
【００１８】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【００１９】
図１は本実施形態における画像形成装置の構成を示す図である。画像形成装置は、イメージリーダ２００およびプリンタ部３００からなる画像形成装置本体、折り装置５００およびフィニッシャ６００を含んでいる。
【００２０】
また、本実施形態において、折り装置５００およびフィニッシャ６００は画像形成装置本体とは別の商用電源から供給する構成になっている。そのため画像形成装置本体、折り装置５００およびフィニッシャ６００にはそれぞれ電力を供給するスイッチを有している。画像形成装置本体の電源スイッチと折り装置５００およびフィニッシャ６００の電源スイッチは、付属装置の電源スイッチとして区別する。
【００２１】
原稿搬送装置１００は、原稿トレイ１０５上にセットされた原稿を先頭頁から順に１枚ずつ給紙し、湾曲したパスを介して原稿台ガラス２０５の上へと搬送する。片面原稿を読取る方法としては、原稿台ガラス２０５上の読取位置Ｒ１へ原稿の後端を搬送、停止させ、スキャナユニット２０６を左から右へ移動させることにより、原稿の読取りを行う原稿固定読取モードと、原稿をある読取り速度で読取位置Ｒ１へ搬送し、スキャナユニット２０６を読取位置Ｒ１で固定したまま原稿の読取りを行う原稿流し読取モードがある。その後、いずれのモードの場合も、読取った原稿を排紙トレイ１０６に排出する。
【００２２】
両面原稿を読取る方法としては、スキャナユニット２０６で表面を読取り、原稿搬送装置１００内に配置した光学ユニット１１０を使用して裏面を読取る方法がある。詳細な説明は後述する。光学ユニット１１０内には図示しないイメージセンサおよび光源等が配置されている。
【００２３】
レンズ２０７を介してイメージセンサ２０８により読取られた原稿の画像は、プリンタ制御部３０１を介して露光制御部３０５に送られる。露光制御部３０５は、画像信号に応じたレーザ光を出力する。このレーザ光が感光ドラム３０６に照射されると、感光ドラム３０６上には静電潜像が形成される。感光ドラム３０６上の静電潜像は現像器３０７により現像され、感光ドラム３０６上の現像剤はカセット３０８、３０９、手差し給紙部３１０および両面搬送パス３１１のいずれかから給送されたシートに転写部３１２で転写される。
【００２４】
現像剤が転写されたシートは定着部３１３に導かれると、現像剤の定着処理が施される。定着部３１３を通過したシートを、図示しないフラッパにより、一旦、パス３１５からパス３１４に導き、シートの後端がパス３１５を抜けた後、シートをスイッチバックさせてパス３１６から排出ローラ３１７に導く。これにより、現像剤が転写された面を下向きの状態（フェイスダウン）にして排出ローラ３１７によりプリンタ部３００から排出することが可能である。これを反転排紙という。このように、フェイスダウンで排出することにより、原稿搬送装置１００を用いて複数枚の原稿を読取った画像をプリントする場合など、先頭頁から正しい頁順で画像形成を行うことが可能である。
【００２５】
尚、手差し給紙部３１０からＯＨＰシートなどの硬いシートに画像形成を行う場合、パス３１５に導くことなく、現像剤が転写された面を上向きの状態（フェイスアップ）のままで排出ローラ３１７から排出する。
【００２６】
また、シートの両面に画像形成を行う場合、シートを定着部３１３からパス３１５、パス３１４に導き、シートの後端がパス３１５を抜けた直後にシートをスイッチバックさせ、図示しないフラッパにより両面搬送パス３１１に導く。両面搬送パス３１１に導かれたシートに対し、再度、転写部３１２で静電潜像が転写され、定着部３１３で定着処理が施される。
【００２７】
このように、転写部３１２から両面搬送パス３１１を経由して再び転写部３１２に戻る一巡のパスの中に、Ａ４、Ｂ５等のハーフサイズ用紙が５枚入った状態でも搬送可能なように、パス長、ローラ配置、駆動系の分割がなされている。尚、これらの処理による排出頁順は、奇数頁が下向きになるように排出されるので、両面コピー時の頁順を合わせることができる。
【００２８】
排出ローラ３１７から排出されたシートは折り装置５００に送り込まれる。折り装置５００はシートをＺ折りに折りたたむ処理を行う。Ａ３サイズやＢ４サイズのシートで折り処理の指定がなされている場合、折り装置５００で折り処理が行われた後にフィニッシャ６００に送り込まれるが、それ以外のサイズのシートはそのままフィニッシャ６００に送り込まれる。フィニッシャ６００は製本処理、綴じ処理、穴あけなどの処理を行う。また、フィニッシャ６００の上部には、インサータ７００が設けられており、表紙、合紙等をフィニッシャ６００に給送する。
【００２９】
コントローラ制御部４００はイメージリーダ２００、プリンタ部３００折り装置５００およびフィニッシャ６００と通信を行い、画像形成装置全体の制御を司る。
【００３０】
図２は画像形成装置の制御部の全体構成を示すブロック図である。画像形成装置全体を制御するコントローラ制御部４００を中心に構成されている。
【００３１】
コントローラ制御部４００は、操作部８００の設定や外部コンピュータ４５３からの指示に基づいて原稿搬送装置１００を制御する原稿搬送装置制御部１０１、イメージリーダ２００を制御するイメージリーダ制御部２０１と通信を行い入力される原稿の画像データを取得する。また、プリンタ部３００を制御するプリンタ制御部３０１と通信を行い、画像データをシートに印刷する。折り装置５００を制御する折り装置制御部５０１、フィニッシャ６００を制御するフィニッシャ制御部６０１と通信を行い、印刷されたシートにステイプルやパンチ穴といった所望の出力を実現する。
【００３２】
外部Ｉ／Ｆ４５１は外部コンピュータ４５３とを接続するインターフェース４であり、例えばネットワークやＵＳＢなどの外部バス４５２で接続し外部コンピュータ４５３からのプリントデータを画像に展開して出力したり、後述するハードディスク４０７（以下、ＨＤＤ）内の画像データを外部コンピュータ４５３に送信することを行う。 
【００３３】
図３は本発明の実施の形態に係るコントローラ制御部４００の構成を示すブロック図である。
【００３４】
コントローラ制御部４００はＣＰＵ４０１で制御され、オペレーティングシステム（以下、ＯＳ）で制御される。バスブリッジ４０４はＣＰＵ４０１の初期起動プログラムを格納しているＲＯＭ４０２、ＣＰＵ４０１の制御データを一時的に保持し、制御に伴う演算の作業領域として用いられるＲＡＭ４０３が接続されている。
【００３５】
ＨＤＤ４０７、には、ＣＰＵ４０１のＯＳを含むメインプログラムを格納している。また、ユーザが取得した画像データや後述する操作部８００で画像を編集したときの保存用に使用される。半導体ディスク４０８は、画像形成装置内で使用する設定データ等を保存するために用いられる。
【００３６】
また、ネットワークやＵＳＢインターフェースを制御する外部Ｉ／Ｆ制御部４０５、操作部８００を制御する操作部制御部４０６が接続されている。
【００３７】
ＣＰＵ４０１は、バスブリッジ４０４を介して、デバイス制御部４０９間の通信を行う。デバイス制御部４０９は原稿搬送装置制御部１０１、イメージリーダ制御部２０１、プリンタ制御部３０１折り装置制御部５０１、フィニッシャ制御部６０１と接続され制御を司る。
【００３８】
電源制御部４１０は、画像形成装置全体の電源を制御する。原稿搬送装置制御部１０１、イメージリーダ制御部２０１、プリンタ制御部３０１折り装置制御部５０１、フィニッシャ制御部６０１への電源制御およびコントローラ制御部４００内の省電力モードへの電源制御を実施する。
【００３９】
図４は、画像形成装置における電力状態の遷移を示す状態遷移図である。
画像形成装置における電力状態としては、電源ＯＦＦ状態Ｐ１０１、スタンバイ状態Ｐ１０２、ジョブ実行状態Ｐ１０３、スリープ状態Ｐ１０４、サスペンド状態Ｐ１０５が存在する。
【００４０】
これら電力状態を消費電力の高い順に並べると、ジョブ実行状態Ｐ１０３＞スタンバイ状態Ｐ１０２＞スリープ状態Ｐ１０４＞サスペンド状態Ｐ１０５＞電源ＯＦＦ状態Ｐ１０１となる。
【００４１】
電源ＯＦＦ状態Ｐ１０１は、画像形成装置の電源がＯＦＦになっている状態であり、画像形成装置の全ての構成に対して電力供給が停止する。電源ＯＦＦ状態Ｐ１０１において、ユーザが画像形成装置本体の電源スイッチおよび付属装置の電源スイッチをＯＮにすると、スタンバイ状態Ｐ１０２に遷移する。
【００４２】
スタンバイ状態Ｐ１０２（第１の電力状態の一例）は、画像形成装置がジョブの実行を待機している状態であり、画像形成装置の全ての構成に対して電力供給が行われる。スタンバイ状態Ｐ１０２において、ジョブを受け付けると、ジョブ実行状態Ｐ１０３に遷移する。また、スタンバイ状態Ｐ１０２において、スリープ指示があると、スリープ状態Ｐ１０４に遷移する。ここで、スリープ指示としては、ユーザがスリープ移行ボタンを押したことや、スタンバイ状態で所定時間が経過したこと等が該当する。
【００４３】
また、スタンバイ状態Ｐ１０２において、ユーザが画像形成装置本体の電源スイッチをＯＦＦにすると、Ｐ１１０でシャットダウンの必要性を判断する。そして、必要であれば、シャットダウン処理を実行して電源ＯＦＦ状態Ｐ１０１に遷移し、必要でなければ、サスペンド処理を実行してサスペンド状態Ｐ１０５に遷移する。シャットダウン処理とは、画像形成装置を終了させる処理のことである。サスペンド処理とは、画像形成装置の状態をＲＡＭ４０３に記憶し、ＲＡＭ４０３に通電を継続しつつ、画像形成装置を休止させる処理のことである。
【００４４】
なお、サスペンドの代わりに、ハイバーション（画像形成装置の状態をハードディスク４０７に記憶し、画像形成装置を休止させる休止処理）を採用してもよい。シャットダウン必要性の判断については、後述する。
【００４５】
ジョブ実行状態Ｐ１０３は、画像形成装置がジョブを実行している状態であり、画像形成装置の全ての構成に対して電力供給が行われる。ジョブ実行状態Ｐ１０３において、ジョブを終了すると、スタンバイ状態Ｐ１０２に遷移する。
【００４６】
スリープ状態Ｐ１０４は、画像形成装置が省電力で待機している状態であり、画像形成装置の構成のうち、コントローラ制御部４００の一部に対して電力供給が行われ、デバイス制御部４０９、原稿搬送装置制御部１０１、イメージリーダ制御部２０１、プリンタ制御部３０１折り装置制御部５０１に対しては電力供給が停止する。フィニッシャ制御部６０１に対しては、ＣＰＵ４０１から省電力モードに移行する通知を行い、フィニッシャ制御部６０１内で電力供給が停止するように制御される。スリープ状態Ｐ１０４において、スリープ復帰要因を受け付けると、スタンバイ状態Ｐ１０２に遷移する。
【００４７】
ここで、スリープ復帰要因としては、ユーザがスリープ復帰ボタンを押したことや、ＰＣからジョブを受け付けたこと等が該当する。
【００４８】
サスペンド状態Ｐ１０５（第２の電力状態の一例）は、高速に起動可能な状態で待機している状態であり、画像形成装置の構成のうち、ＲＡＭ４０３に対して電力供給が行われ、それ以外の構成に対しては電力供給が停止する。サスペンド状態Ｐ１０５において、ユーザが画像形成装置本体の電源スイッチをＯＮにすると、レジューム処理を行い、スタンバイ状態Ｐ１０２に遷移する。レジューム処理とは、サスペンド処理時にＲＡＭ４０３に記憶された情報を用いて、画像形成装置の状態をサスペンド前の状態に復帰させる処理のことである。
【００４９】
（第１実施形態）
図５は、画像形成装置の動作を示すフローチャートである。これは、ＣＰＵ４０１がハードディスク４０７に記憶されたプログラムをＲＡＭ４０３に読み出し実行することによって実現される。
【００５０】
図５の処理は、ユーザにより画像形成装置本体の電源スイッチがＯＮにされたことにより開始する、画像形成装置の起動処理のフローチャートである。
【００５１】
Ｓ１０１において、ユーザにより画像形成装置本体の電源スイッチがＯＮにされ、コントローラ制御部４００を含む画像形成装置全体への電力供給が開始される。
【００５２】
Ｓ１０２において、ＣＰＵ４０１はＲＯＭ４０２に保持されている起動プログラムの実行を開始する。
【００５３】
Ｓ１０３において、ＣＰＵ４０１は、サスペンド状態Ｐ１０５からのリジュームによる高速起動が可能か否かを判定する。Ｓ１０３でＹＥＳの場合、Ｓ１０５に進む。Ｓ１０３でＮＯの場合、Ｓ１０４へ進む。
【００５４】
図６の処理は、図５におけるＳ１０４の、システムＯＦＦ状態からの起動処理のフローチャートである。
【００５５】
Ｓ２０１にて、ＣＰＵ４０１はＯＳを起動し、さらにＯＳ上で動作する、画像形成装置の制御アプリケーションを起動する。
【００５６】
コントローラ制御部４００の半導体ディスク４０８には、あらかじめ画像形成装置全体の構成情報が記載されている。構成情報とは、特に別の電源から供給する装置の接続情報を登録した情報である。本実施系では折り装置５００およびフィニッシャ６００が構成情報に登録されているものとしているが、これに限ったものではない。
【００５７】
Ｓ２０２にて、ＣＰＵ４０１は構成情報通りに折り装置５００およびフィニッシャ６００の付属装置の電源スイッチもＯＮされて、動作可能かを判断する。
【００５８】
Ｓ２０３にて、構成情報通りに付属装置の電源スイッチがＯＮされている場合にはＣＰＵ４０１は、コントローラ部の初期化を行い、画像形成装置の電力状態をスタンバイ状態Ｐ１０２に遷移させ、電源ＯＦＦ状態Ｐ１０１からの起動処理は完了する。
【００５９】
Ｓ２０２にて、ＣＰＵ４０１が構成情報から付属装置の電源スイッチがＯＮされているかを判別し、Ｓ２０４にて電源スイッチがＯＮされていない該当装置の電源スイッチをＯＮするように確認画面を表示する。
【００６０】
Ｓ２０５にて、ＣＰＵ４０１はユーザによって付属装置の電源スイッチがＯＮされるまで待機し、再接続が確認されれば、Ｓ２０３に移行する。
【００６１】
図７の処理は、図５におけるＳ１０５の、サスペンド状態からの起動のフローチャートである。
【００６２】
Ｓ３０１において、ＣＰＵ４０１はＲＡＭ４０３に記録されている、サスペンド状態遷移前の画像形成装置の構成情報を読み出す。なお、ＲＡＭ４０３へのオプション構成情報の保存処理については後述する。
【００６３】
Ｓ３０２にて、ＣＰＵ４０１はサスペンド前と現在の構成情報を比較し、付属装置の電源スイッチがＯＮされているかを判定する。Ｓ３０２にてＮＯの場合、Ｓ３０３にすすむ。Ｓ３０２にてＹＥＳの場合、Ｓ３０５にすすむ。
【００６４】
Ｓ３０３に進んだ場合、サスペンド前から構成情報に変更はなく、リジューム処理が問題なく実行可能であるので、ＣＰＵ４０１はリジューム処理を実行する。
【００６５】
Ｓ３０４にて、ＣＰＵ４０１は画像形成装置の電力状態を、スタンバイ状態Ｐ１０２に遷移させ、起動処理を完了する。
【００６６】
Ｓ３０５に進んだ場合、ＣＰＵ４０１は付属装置の電源スイッチがＯＮされていないためサスペンド前と現在の構成情報が異なり、リジューム処理を行えないと判断する。
【００６７】
そのためＣＰＵ４０１は次回電源スイッチのＯＦＦする時にサスペンド状態Ｐ１０５へ遷移しないことを示すフラグをセットする。なお、このフラグはＲＡＭ４０３上に保持される。
【００６８】
Ｓ３０６にて、ＣＰＵ４０１は操作部８００にユーザに対して画像形成装置の再起動を促す通知を行うと同時に付属装置の電源スイッチがＯＮされていない旨を明示して、ユーザによる付属装置の電源スイッチのＯＮ、画像形成装置本体の電源スイッチＯＦＦ、ＯＮを待って、図５のＳ１０１より再度起動処理を実行する。
【００６９】
図８は、画像形成装置の終了処理のフローチャートである。
【００７０】
Ｓ４０１にて、ユーザは画像形成装置本体の電源スイッチをＯＦＦする。
【００７１】
Ｓ４０２にて、ＣＰＵ４０１は画像形成装置の電力状態を、サスペンド状態Ｐ１０５へ遷移可能か、ＲＡＭ４０３に保持されるフラグを判定する。なお、このフラグはＳ３０５で説明したものである。Ｓ４０２でＮＯの場合Ｓ４０３へすすむ。Ｓ４０２でＹＥＳの場合、Ｓ４０３へすすむ。
【００７２】
図９は、Ｓ４０３の電源ＯＦＦ状態Ｐ１０１へ遷移する終了処理のフローチャートである。
【００７３】
Ｓ５０１にて、ＣＰＵ４０１はコントローラ制御部４００で実行中のアプリケーションプログラムに終了を指示し、必要な終了処理の後にアプリケーションを終了させる。
【００７４】
続いてＳ５０２にて、ＣＰＵ４０１はＯＳレベルの終了処理を行う。
Ｓ５０３にて、ＣＰＵ４０１は画像形成装置全体の電力供給を停止し、システ電源ＯＦＦ状態Ｐ１０１へ遷移させ、終了処理を完了する。
【００７５】
図１０は、Ｓ４０４のサスペンド状態Ｐ１０５へ遷移する終了処理のフローチャートである。
【００７６】
Ｓ６０１にて、ＣＰＵ４０１は構成情報をＲＡＭ４０３の所定の領域に記録する。
【００７７】
続いてＳ６０２にて、ＣＰＵ４０１はサスペンド処理を行い、ＲＡＭ４０３を除いて電力供給を停止し、画像形成装置をサスペンド状態Ｐ１０５に遷移させ、終了処理を完了する。
【００７８】
（第２実施形態）
図１１は、図５におけるＳ１０５の、サスペンド状態からの起動のフローチャートである。図７のＳ３０６において再起動を促すのでなく、再接続を検出する処理である。
【００７９】
Ｓ７０１において、ＣＰＵ４０１はＲＡＭ４０３に記録されている、サスペンド状態遷移前の、画像形成装置のオプション構成情報を読み出す。
【００８０】
Ｓ７０２にて、ＣＰＵ４０１はサスペンド前と現在の構成情報を比較し、付属装置の電源スイッチがＯＮされているかを判定する。Ｓ７０２にてＮＯの場合、Ｓ７０３にすすむ。Ｓ７０２にてＹＥＳの場合、Ｓ７０５にすすむ。
【００８１】
Ｓ７０３に進んだ場合、サスペンド前からオプション構成の変更はなく、リジューム処理が問題なく実行可能であるので、ＣＰＵ４０１はリジューム処理を実行する。
【００８２】
Ｓ７０４にて、ＣＰＵ４０１は画像形成装置の電力状態を、スタンバイ状態Ｐ１０２に遷移させ、起動処理を完了する。
【００８３】
Ｓ７０５に進んだ場合、ＣＰＵ４０１は付属装置の電源スイッチがＯＮされていないためサスペンド前と現在の構成情報が異なると判断する。
【００８４】
Ｓ７０６にて、ＣＰＵ４０１はユーザによって該当装置の電源が投入されるまで待機し、再接続が確認されれば、Ｓ７０３に移行する。
【符号の説明】
【００８５】
４００  コントローラ制御部
４０１  ＣＰＵ
４０２  ＲＯＭ
４０３  ＲＡＭ
４０４  バスブリッジ
４０７  磁気ディスク（ＨＤＤ）
４０８  半導体ディスク
４０９  デバイス制御部
４１０  電源制御部
５００  折り装置
６００  フィニッシャ
【図１】
2015101064.tif 000003
【図２】
2015101064.tif 000004
【図３】
2015101064.tif 000005
【図４】
2015101064.tif 000006
【図５】
2015101064.tif 000007
【図６】
2015101064.tif 000008
【図７】
2015101064.tif 000009
【図８】
2015101064.tif 000010
【図９】
2015101064.tif 000011
【図１０】
2015101064.tif 000012
【図１１】
2015101064.tif 000013